(57)【要約】      （修正有）【課題】安価に供給できて、安全性の高い室内空気排出装置を提供する。【解決手段】室内空気侵入口６を有する容器２と、室外に空気排出するためのパイプ１１を有している保護室内空気排気装置であって、空気侵入口６の容器内側には金属製の薄板からなる逆流防止弁と、パイプ１１先端に防虫網を有す。【選択図】  図２
2004226053.tif 000002
【特許請求の範囲】
【請求項１】
空気の流入口を有する金属性細長い直方体の特殊容器と、この容器内の空気流入口とは反対側に室外に空気排出するための金属性のパイプを有している保護室内空気排気装置。
【請求項２】
空気流入口の容器内側には金属性の薄板が穴を防ぐ状態にあり、室内の空気流出により、前後に軽く動くようになっている。ガス、放射能等汚染された外気の流入には流入口は閉めているため、室内に入る事は出来ない保護室内空気排出装置。
【請求項３】
金属性の特殊容器の側面は取りはずし自由になっているので内部の修理を何時でも行うことが出来る保護室内空気排出装置。
【請求項４】
室内の空気流出口の先端部分は水平から直角に下方に曲り、雨水の侵入を防ぐと共にその金属パイプ口に網が張られ鳥・昆虫類の侵入を防いでいる、保護室内空気排出装置。
【請求項５】
この特殊容器と空気流出用パイプの中間には一般家屋の板壁やビルのコンクリート壁等を厚い金属板で挟んで強固に固定出来るようになっている保護室内空気排出装置。
【発明の詳細な説明】
【０００１】
【発明の属する技術分野】
本発明は保護室内の気圧が外気圧よりも０．５〜１．０気圧高いように設定されているため、原爆、原発による放射能、或はガス等に汚染された外気が室内に入らないように工夫された空気排出装置である。
【０００２】
【従来の技術】
従来のこの種のソーチとしては地下シェルターの内部に取付けられるものが多く、地上のビル、家屋の壁窓等に設置されることはないように思われる。又、普通の換気扇では隙間が多く。強風の場合には外気は多量に室内に逆に吹き込んで来る事が多い。
【０００３】
【発明が解決しようとする課題】
地下シェルターは気密性にすぐれ爆風に対して安全であるけれども、建築費が非常に高価であり、一般の人々には土地のスペースの関係で地下シェルター設置は無理だと思われる。又、爆心地以外の遠く離れた土地の家々は爆風もなく、熱線も無いので原爆の放射能だけを防げば大丈夫だと思われる。
【０００４】
【課題を解決するための手段】
前記目的を達成するために本発明は、保護室内の空気流出穴と逆流防止弁のついた容器にビル、家の壁を内外より挟み固定する金属板と空気流出用パイプで構成されたものである。
【０００５】
また前記構成において、万一故障の時には修理点検しやすいように細長い直方体の側板の取り外しが容易に出来るようになっている。
【０００６】
【発明の実施の形態】
以下本発明の一実施形態に係る保護室内空気流出装置を図面に基づいて説明する。図１にある全体を符号１で示される室内空気流出装置は金属板を用いて細長い直方体の箱状に形成された空気流出箱２と室外に空気を排出する鉄製パイプ類９、１１と家の壁・窓に密着固定する鉄板１５を備えている。
【０００７】
室内空気排出容器２は天井壁２ａ、底壁２ｂ、長手方向の側壁２ｃ、２ｄ、それに直交方向の側壁２ｅ、２ｆを備えている。
【０００８】
側壁２Ｄは容器２から取り外し。内部の側壁２ｅのボルト、ナット４で密着された蝶番３に薄い金属片５の修理点検が出来るようになっている。又、室内の空気は容器２の側壁２ｅに開いた空気口６より自動的に容器内２に流入し２ｅの側壁にボトル４で密着された蝶番３に取付けられた金属の薄板５Ａは５Ｂへと内側に開き、空気の流入を助け、２ｆの側壁にあるパイプ９の入口に８を通じ外部パイプ１１の排出に１７へと室内空気は移動します。
【０００９】
もし、強風が吹きパイプ１１の排出口１７より内部に入った場合、金属薄片５Ｂは瞬時にして５Ｂの位置から５Ａの位置までもどり流入空気を保護室内に入れる事は出来ない。
【００１０】
排出口１７の口径穴は小さく、ゴミ、昆虫類のパイプ内１１への侵入を防ぐ為の１３やパイプ１１に微小な穴１２を多数開けてあるため、外気の強風は２の部分に於いて混乱し、パイプ９を通って容器２に入っても、急に容器内２の中が広くなっている為か、その勢いは弱いものとなり、金属薄片５Ａが、側壁２ｅに密着するため外風は保護室内に侵入できない事が実験の結果判明しました。
【００１１】
【発明の効果】
広島原爆のドームから４ｋｍ離れた所々に比治山（高さ５０ｍ位）があります。強烈な爆風は比治山の斜面にそって上空に逃げたために、山の裏側の町々は火事にもならず、家々も倒れる事もなく無事でしたが、強い汚染された放射能塵のために現在でも人々は病気のため非常に苦しんでいます。従って各家庭の中の一部屋を密封し、放射能に対し保護室を造り、特別に設置された、放射性塵除去フィルターと室内空気排出装置が有れば、人々の苦痛を除く事が可能と考えられます。
【図面の簡単な説明】
【図１】本発明の一実施形態に係る空気排出装置の斜視図である。
【図２】図１のＡ−Ａ線における断面図である
【図３】図１のＢ−Ｂ線における断面図である
【図４】図１のＣ−Ｃ線における断面図である
【図５】図１のＤ−Ｄ線における断面図である
【図６】図１のＥ−Ｅ線における断面図である
【図７】図１の右側面２０にある蓋の斜視図である
【図８】２階建の家屋に空気排出装置取付けた状態の点線内の断面図である
【符号の説明】
１        保護室内空気排出装置
２        空気流出容器
３、４    蝶番とナット、ネジ
５        金属性の薄板片
６        室内空気侵入口
９、１０  鉄パイプ
１２      強風防止用の小穴
１３      網
１４      ナット
１５      横長鉄板
１６      家壁又は小窓
【図１】
2004226053.tif 000003
【図２】
2004226053.tif 000004
【図３】
2004226053.tif 000005
【図４】
2004226053.tif 000006
【図５】
2004226053.tif 000007
【図６】
2004226053.tif 000008
【図７】
2004226053.tif 000009
【図８】
2004226053.tif 000010
【手続補正書】
【提出日】平成15年3月27日(2003.3.27)
【手続補正１】
【補正対象書類名】明細書
【補正対象項目名】特許請求の範囲
【補正方法】変更
【補正の内容】
【特許請求の範囲】
【請求項１】
空気の流入口を有する金属性細長い直方体の特殊容器と、この容器内の空気流入口とは反対側に室外に空気排出するための金属性のパイプを有している保護室内空気排気装置。
【請求項２】
空気流入口の容器内側には金属性の薄板が穴を防ぐ状態にあり、室内の空気流出により、前後に軽く動くようになっている。ガス、放射能等汚染された外気の流入には室内流入口は閉めているため、室内に入る事は出来ない請求項１記載の保護室内空気排出装置。
【請求項３】
金属性の特殊容器の側面は取りはずし自由になっているので内部の修理を何時でも行う事が出来る請求項１記載の保護室内空気排出装置。
【請求項４】
室内の空気流出口の先端部分は水平から直角に下方に曲がり、雨水の侵入を防ぐとともにその金属パイプ口に網が張られ鳥、昆虫類の侵入を防いでいる、請求項１記載保護室内空気排出装置。
【請求項５】
この特殊容器と空気流出用パイプの中間には一般家屋の板壁やビルのコンクリート壁等を厚い金属板で挟んで強固に固定出来るようにねっている請求項１記載保護室内空気排出装置。